(57)【要約】【課題】ユーザの自由度や利便性をできるだけ損なうことなく、発熱の問題等に対する安全性を高めることがきる撮像装置を提供する。【解決手段】撮像部４と、明るさを段階的に制御可能なライト６と、ライト６のフル点灯時間を測定するタイマ１１と、タイマ１１の測定によりライト６のフル点灯時間が所定時間に到達するとライト６を微灯となるように制御する制御部１０とを具備する携帯端末装置１である。【選択図】図１
2012074785.tif 000002
【特許請求の範囲】
【請求項１】
撮像部と、
明るさを段階的に制御可能な照明と、
前記照明のフル点灯時間を測定するタイマと、
前記タイマの測定により前記照明のフル点灯時間が所定時間に到達すると前記照明を微灯となるように制御する点灯時間制御部と
を具備することを特徴とする撮像装置。
【請求項２】
前記点灯時間制御部が、前記照明を微灯とした後、一定時間経過後に消灯する
ことを特徴とする請求項１に記載の撮像装置。
【請求項３】
前記点灯時間制御部が、前記照明を消灯してから一定時間点灯を禁止する
ことを特徴とする請求項１又は２に記載の撮像装置。
【請求項４】
ユーザへ情報を報知するための表示手段を備え、
前記照明が微灯になる又は微灯になった際に、前記照明が微灯になること又は微灯になったことを前記表示手段に表示させる
ことを特徴とする請求項１〜３のいずれか１項に記載の撮像装置。
【請求項５】
前記照明が消灯する又は消灯した際に、前記照明が消灯すること又は消灯したことを前記表示手段に表示させる
ことを特徴とする請求項４に記載の撮像装置。
【請求項６】
前記照明が点灯する又は点灯した際に、前記照明が点灯すること又は点灯したことを前記表示手段に表示させる
ことを特徴とする請求項４又は５に記載の撮像装置。
【請求項７】
撮像部と、
明るさを段階的に制御可能な照明と、
前記照明のフル点灯時間を測定するタイマと、
前記照明の点灯時間を制御する点灯時間制御部とを備える撮像装置の制御方法であって、
前記点灯時間制御部によって、前記タイマの測定により前記照明のフル点灯時間が所定時間に到達すると、前記照明を微灯となるように制御する
ことを特徴とする撮像装置の制御方法。
【発明の詳細な説明】
【技術分野】
【０００１】
本発明は、撮像装置及び撮像装置の制御方法に関する。
【背景技術】
【０００２】
現在、カメラ及びライトを搭載した情報端末が多数存在するが、ライトを点灯した場合には消費電力が大きくなってしまう。また、ライトの種類によっては一定時間点灯させると発熱するものがある。例えば、発熱が問題となるものでは、利用者の安全性を考慮して、高い温度になった場合にはカメラを終了させているのが一般的である。
【０００３】
このような技術に係るものとして、特許文献１には、カメラで被写体を撮影するときには照度センサーにより、必要に応じて被写体を照明するようにした技術が記載されている。
【０００４】
また、特許文献２には、温度センサーを用いてカメラ内部の温度が所定温度を超えた場合に、バックライトを消灯したりすることで、発熱やカメラ内温度の上昇を防止する技術が記載されている。
【０００５】
また、特許文献３には、画像取込装置の照明光について、点灯時間が所定の上限時間を超えないように制御すること、および、次回の点灯までの消灯時間が所定の最短消灯時間より長くなるように制御することが示されている。
【先行技術文献】
【特許文献】
【０００６】
【特許文献１】特開２００９−２６０７１６号公報
【特許文献２】特開２００２−１３５６３６号公報
【特許文献３】特開２０００−９４２５号公報
【発明の概要】
【発明が解決しようとする課題】
【０００７】
特許文献１に記載されている技術によれば、ライト点灯による電力消費を一定程度抑えることは期待できるが、発熱の問題性については考慮されていない。
【０００８】
特許文献２に記載されている技術では、温度センサーを搭載する必要があり、端末価格やサイズ、総重量にも影響する。
【０００９】
また、特許文献３に記載されている技術では、強制的にライトの点灯・消灯が制御されるようになっているため、ユーザの操作に応じてライトを点灯した状態で撮影を行おうとした場合には撮影の柔軟性（あるいは操作性）が乏しくなるという課題がある。
【００１０】
本発明は、上記の事情を考慮してなされたものであり、ユーザの自由度や利便性をできるだけ損なうことなく、発熱の問題等に対する安全性を高めることがきる撮像装置及び撮像装置の制御方法を提供することを目的とする。
【課題を解決するための手段】
【００１１】
上記課題を解決するため、本発明は、撮像部と、明るさを段階的に制御可能な照明と、前記照明のフル点灯時間を測定するタイマと、前記タイマの測定により前記照明のフル点灯時間が所定時間に到達すると前記照明を微灯となるように制御する点灯時間制御部とを具備することを特徴とする撮像装置である。
【発明の効果】
【００１２】
本発明によれば、照明のフル点灯時間が所定時間に到達すると照明が微灯状態となる。したがって、所定時間に到達したところでいきなり消灯してしまって一定の光量のもとでの撮影が継続できなくなるのではなく、フル点灯よりは暗くなるものの微灯状態で点灯が継続されるので、ユーザの意図に従って光量を落とした状態での撮影の継続や撮影の終了タイミングの選択ができるようになる。すなわち、ユーザの自由度や利便性をそれほど損なうことなく、発熱の問題等に対する安全性を高めることがきる。
【図面の簡単な説明】
【００１３】
【図１】本発明による撮像装置の一実施形態としての携帯端末装置の外観図（（ａ）は正面図、（ｂ）は背面図）である。
【図２】図１の携帯端末装置１の構成を示すブロック図である。
【図３】図１の携帯端末装置１の第１の動作例を説明するためのフローチャートである。
【図４】図１の携帯端末装置１の第２の動作例を説明するためのフローチャートである。
【発明を実施するための形態】
【００１４】
以下、図面を参照して本発明による撮像装置の実施の形態について説明する。図１は、本発明の一実施形態である携帯端末装置１の外観図であり、図１に示す携帯端末装置１はカメラ付携帯電話機として構成されている。図１（ａ）は携帯端末装置１の正面側であり、携帯端末装置１の正面には、ディスプレイ２と、十字キーや数字キーからなる入力操作部３が設けられている。また、図１（ｂ）は背面図であり、携帯端末装置１の背面には、撮像部４、照度センサー５及びライト（フラッシュ）６が設けられている。ここで、ライト６は、発熱性の高いデバイスとなっている。
【００１５】
なお、本発明の実施形態は、図１に示すようなカメラ付携帯電話機に限らずカメラや携帯ゲーム機等の他の様々な撮像装置であってもよい。
【００１６】
図２は、図１の携帯端末装置１の構成を示すブロック図である。なお、図１と同一の構成には同一の符号を用いている。携帯端末装置１は、ディスプレイ２、入力操作部３、撮像部４、ライト６、照度センサー５、および制御部１０を備えている。なお、携帯端末装置１には、他に記憶装置、バッテリー、無線信号の送受信部や、マイク、スピーカーなどの構成を備えているが、図２では本発明の特徴に係る要部のみを表している。
【００１７】
制御部１０は、ディスプレイ２、入力操作部３、撮像部４、ライト６、照度センサー５等の各部を制御するとともに、内部にタイマ１１（あるいはカウンタ）を備え、１又は複数種類の時間を計測する機能を有している。なお、携帯端末装置１では、制御部１０によって実行されるプログラムであるカメラアプリケーションを起動することで、ユーザが入力操作部３を用いて設定した撮影条件や撮影タイミング（動画撮影の撮影開始や終了のタイミング、静止画撮影のシャッタータイミング）に応じた動画や静止画の撮影を撮像部４を用いて行うことができるようになっている。
【００１８】
次に、図３を参照して、図１の携帯端末装置１の第１の動作例について説明する。この動作例でのカメラアプリケーション起動時、ライト６の初期状態は、「消灯状態」で「オートモード」とする。「オートモード」とは、カメラのライト６により、照度センサー５の出力に応じて、必要に応じて被写体を照明（あるいは非照明と）するモードを意味する。この場合、制御部１０は、タイマ１１を用いて、点灯制約時間Ｒと微灯制約時間Ｓを制御する。すなわち、Ｒ秒間を超えてライト６を点灯した場合、ライト６が高温になりつつあるため、微灯制約時間Ｓだけ微灯状態とさせる。そして、さらにＳ秒間経過した場合は制御部１０はライト６を消灯させさるようになっている。
【００１９】
まずユーザによってカメラアプリケーションが起動され、動画撮影が開始される場合（ステップＳ１０１）、十分な光量があるか照度センサー５を用いて制御部１０によって判断される（ステップＳ１０２）。照度センサー５の出力の判断タイミングについては、動画を撮影する前でもよいものとする。
【００２０】
照度センサー５の出力で十分な光量があると判断された場合（ステップＳ１０２でＹＥＳ）は、ライト６を付けなくても被写体の光量があるため、ライト６は消灯状態を継続する（ステップＳ１０３）。その後、録画を継続する場合（ステップＳ１０４でＹＥＳ）は、ライト消灯状態を継続したまま録画を継続する（ステップＳ１０３〜Ｓ１０４でＹＥＳ〜Ｓ１０３…の繰り返し）。
【００２１】
その後、録画を継続しなかった場合（ステップＳ１０４でＮＯ）は、録画を終了する（ステップＳ１０５）。
【００２２】
一方、照度センサー５の出力で十分な光量がないと判断された場合（ステップＳ１０２でＮＯ）は、ライト６を点けなければ被写体の光量が保てないため、制御部１０はライト６を点灯する（ステップＳ１０６）。録画時間がＲ秒を経過していない場合（ステップＳ１０７でＮＯ）、ユーザが録画を継続するときには、録画が継続される（ステップＳ１０８でＹＥＳ〜Ｓ１０７でＮＯ〜Ｓ１０８でＹＥＳ…の繰り返し）。その後、ユーザが録画を継続しなかった場合（ステップＳ１０８でＮＯ）は、ライト６を消灯し、録画を終了する（ステップＳ１０５）。
【００２３】
録画時間が点灯制約時間Ｒ秒を経過した場合（ステップＳ１０７でＹＥＳ）は、制御部１０がライト６を微灯に制御する（ステップ１０９）。ここで微灯とは、点灯（これは所定の最高出力での点灯すなわちフル点灯を意味する）よりも暗い状態でのライト６の点灯状態を意味する。例えば、ライト６を所定の時間間隔でかつ１００％よりも小さい所定のオン時間／（オン時間＋オフ時間）比で駆動することなどによって実現することができる。この際、ステップＳ１０９では、ユーザにライト６が微灯となること（または微灯となったこと）を伝えるため、ディスプレイ２にポップアップ表示あるいはライトアイコンを点滅表示させること等で微灯となる（あるいは微灯となった）旨を通知（あるいは報知）することができる。
【００２４】
その後、録画時間が微灯制約時間Ｓ秒を経過していない場合（ステップＳ１１０でＮＯ）、ユーザが録画を継続するときには、録画が継続される（ステップＳ１１１でＹＥＳ〜Ｓ１１０でＮＯ〜Ｓ１１１でＹＥＳ…の繰り返し）。そして、ユーザが録画を継続しなかった場合（ステップＳ１１１でＮＯ）は、ライト６を消灯し、録画を終了する（ステップＳ１０５）。
【００２５】
他方、録画時間が微灯制約時間Ｓ秒を経過していた場合（ステップＳ１１０でＹＥＳ）、ライト６を消灯する（ステップＳ１１２）。この際、ステップＳ１１２では、ユーザにライト６が消灯となること（または消灯となったこと）を伝えるため、ディスプレイ２にポップアップ表示あるいはライトアイコンを消灯させること等で消灯となる（あるいは消灯となった）旨を通知することができる。この状態でユーザが録画を継続させる場合（ステップＳ１１３でＹＥＳ）は、ライト消灯状態で録画継続する（ステップＳ１１３でＹＥＳの繰り返し）。録画を継続しなかった場合（ステップＳ１１３でＮＯ）は、録画を終了する（ステップＳ１０５）。
【００２６】
この例では、ライト６の微灯や消灯前後のタイミングでその旨をユーザに通知させているが、カメラ起動時に微灯や消灯されることがあることをユーザに通知させるようにしてもよい。
【００２７】
図３に示す第１の動作例によれば、ライトの点灯状態を段階的（点灯／微灯／消灯等）に制御することができるので、所定時間に到達したところでいきなり消灯してしまって一定の光量のもとでの撮影が継続できなくなるのではなく、フル点灯よりは暗くなるものの微灯状態で点灯が継続されるので、ユーザの意図に従って光量を落とした撮影の継続や撮影の終了タイミングの選択などができるようになる。よって、ユーザの自由度や利便性をそれほど損なうことなく、発熱の問題等に対する安全性を高めることがきる。
【００２８】
次に、図４を参照して、図１の携帯端末装置１の第２の動作例について説明する。この第２の動作例では、消灯必要時間が設定されているのに対して、図３の第１の動作例では消灯必要時間は設定されておらず、いつでも点灯可能となっている点が異なっている。ここで消灯必要時間とは、ライト６を消灯した後、再度点灯させるまでに消灯状態を継続させることが必要となる時間を意味する。すなわち、ライト６を点灯し、その後消灯した後は、消灯必要時間が経過した後でなければ再度ライト６を点灯することができなくなる。
【００２９】
図４の第２の動作例でのカメラアプリケーション起動時も、図３の第１の動作例と同様にライト初期状態では、「消灯状態」で「オートモード」とする。また、制御部１０は、タイマ１１を用いて、点灯制約時間Ｒと微灯制約時間Ｓに加え、消灯必要時間Ｐを制御する。すなわち、点灯制約時間Ｒ秒間を超えてライト６を点灯した場合、ライト６が高温になりつつあるため、微灯制約時間Ｓだけ微灯状態とさせる。そして、さらにＳ秒間経過した場合は制御部１０はライト６を消灯させさる。また、ライト６を消灯後に再び点灯するには、消灯必要時間Ｐの経過を待たなければならないようになっている。また、タイマ１１を用いて計測される点灯継続時間Ｘの初期値をＸ＝０（秒）、消灯継続時間Ｚの初期値をＺ＝０（秒）とする。
【００３０】
ここでいう、点灯継続時間は、ライト６を点灯した状態の継続時間であり、消灯継続時間は、ライト６を消灯した状態の継続時間である。携帯端末装置１の起動時には、ライト６は消灯状態にあるので、制御部１０は、消灯継続時間のカウントを開始する。あるいは、携帯端末装置１の停止状態（ユーザにより電源ＯＦＦされた状態）においても、制御部１０が、消灯継続時間のカウントを継続することにより、消灯継続時間を、より正確に測定できる。
【００３１】
カメラを起動し、動画撮影を開始する場合（ステップＳ２０１）、録画を継続する場合には（ステップＳ２０２でＹＥＳ）、まず十分な光量があるか照度センサー５の出力に基づいて制御部１０が判断する（ステップＳ２０４）。なお、照度センサー５の出力の判断タイミングについては、動画を撮影する直前でもよいものとする（図３の第１の動作例でも同様）。
【００３２】
照度センサー５を用いて十分な光量があると判断した場合（ステップＳ２０４でＹＥＳ）は、ライト６は消灯状態を継続する。その後、録画を継続する場合（ステップＳ２０２でＹＥＳ）は、ライト消灯状態を継続したまま録画を継続する（ステップＳ２０２でＹＥＳ〜Ｓ２０４でＹＥＳ〜Ｓ２０２でＹＥＳ…の繰り返し）。その後、録画を継続しなかった場合（ステップＳ２０２でＮＯ）は、録画を終了する（ステップＳ２０３）。
【００３３】
他方、照度センサー５の出力に基づいて制御部１０が十分な光量がないと判断した場合（ステップＳ２０４でＮＯ）、制御部１０がライト６が点灯または微灯しているかどうか判断する（ステップＳ２０５）。ライト６が点灯または微灯していない場合（ステップＳ２０５でＮＯ）、消灯継続時間Ｚ（秒）と消灯必要時間Ｐ（秒）を比較する（ステップＳ２０６）。上述した消灯必要時間Ｐは、ライトの温度が下がるまでの十分な時間であり、つまりこの時間分ライトが消灯していればユーザの安全性に問題ないということを意味する。消灯必要時間Ｐ（秒）は、一定時間としてもよい（この場合は最大時間固定となる）し、直前にカメラを使用した時間に応じて動的に変化させてもよい。
【００３４】
消灯継続時間Ｚ（秒）と消灯必要時間Ｐ（秒）を比較し、Ｐ（秒）≦Ｚ（秒）の場合（ステップＳ２０６でＹＥＳ）は、消灯継続時間Ｚが消灯必要時間Ｐを満たしているため、ライト６を点灯する（ステップＳ２０７）。これにより、点灯継続時間Ｘ（秒）のカウントをスタートさせ、また消灯継続時間Ｚ（秒）＝０とし、消灯継続時間Ｚ（秒）のカウントをストップさせる（ステップＳ２０７）。このステップＳ２０７でのライト点灯時、安全性を考慮し、ゆっくりと点灯してもよいし、一度点滅させてから正常点灯させてもよい。
【００３５】
また、温度上昇によりライト６が消灯した後の初回点灯時には、ライト６が安全に点灯できるようになった旨のユーザ通知（ディスプレイ２上にポップアップあるいはライトアイコン通知）を行ってもよい。
【００３６】
他方、消灯継続時間Ｚ（秒）と消灯必要時間Ｐ（秒）を比較し、Ｐ（秒）＞Ｚ（秒）の場合（ステップＳ２０６でＮＯ）は、ライト６の温度が下がっていない可能性があるため、ライト６は消灯状態を継続する（ステップＳ２０８）。消灯継続時間Ｚ（秒）のカウントも継続する（ステップＳ２０８）。この際ユーザには、光量が足りないにもかかわらず、ライト６が点灯しない（点灯しなかった）ことを伝えるため、ディスプレイ２においてポップアップ表示あるいはライトアイコンを消灯させることで表示することができる。ユーザへの通知は、ライト消灯後のタイミングでもよいし、カメラ起動時あるいはライト消灯前にユーザ通知させることでもよい。
【００３７】
一方、ライト６が点灯／微灯している場合（ステップＳ２０５でＹＥＳ）、点灯継続時間Ｘ（秒）と点灯制約時間Ｒ（秒）を比較する（ステップＳ２０９）。上述した点灯制約時間Ｒは、ライト６の温度が高温とならない状態で継続して使用可能な安全時間であり、つまりＲ秒間を超えてライト６を点灯した場合、ライト６が高温となりユーザの安全性を保てない可能性があることを意味する。
【００３８】
点灯継続時間Ｘ（秒）と点灯制約時間Ｒ（秒）を比較し、Ｒ（秒）＞Ｘ（秒）の場合（ステップＳ２０９でＹＥＳ）は、点灯継続時間Ｘが点灯制約時間Ｒに達していないため、ライト点灯を継続する（ステップＳ２１０）。点灯継続時間Ｘ（秒）のカウントも継続する（ステップＳ２１０）。
【００３９】
他方、点灯継続時間Ｘ（秒）と点灯制約時間Ｒ（秒）を比較し、Ｒ（秒）≦Ｘ（秒）の場合（ステップＳ２０９でＮＯ）は、点灯継続時間Ｘが点灯制約時間Ｒを超えるため（ライト６が高温となりユーザの安全性を保てなくなる可能性があるため）、さらに微灯制約時間Ｓを経過していない場合（すなわちステップＳ２０９でＮＯと判定された時点から微灯制約時間Ｓが経過していない場合）には（ステップＳ２１１でＮＯ）、ライト６を微灯にする（ステップＳ２１２）。この際、ステップＳ２１２では、ユーザにライト６が微灯となること（または微灯となったこと）を伝えるため、ディスプレイ２にポップアップ表示あるいはライトアイコンを点滅表示させること等で微灯となる（あるいは微灯となった）旨を通知することができる。
【００４０】
その後、微灯制約時間Ｓが経過する前、十分な光量が無い状態で録画が継続される場合（ステップＳ２０２でＹＥＳ、ステップＳ２０４でＮＯ、ステップＳ２０５でＹＥＳ、ステップＳ２０９でＮＯ、ステップＳ２１１でＮＯ）、微灯状態が継続する（ステップＳ２１２）。
【００４１】
その後、微灯制約時間Ｓが経過した場合（ステップＳ２１１でＹＥＳの場合）には、ライト６を消灯させるとともに、消灯継続時間Ｚ（秒）のカウントをスタートさせ、また点灯継続時間Ｘ（秒）＝０とし、Ｘ（秒）のカウントをストップさせる（ステップＳ２１３）。この際ユーザには、ライト６が消えること（または消えたこと）を伝えるため、ディスプレイ２にてポップアップ表示あるいはライトアイコンを消灯させることで表示を行うことができる。なお、その表示は、ライト消灯後のタイミングでユーザ通知させてもよいし、カメラ起動時あるいはライト消灯前にユーザ通知させることでもよい。
【００４２】
録画継続中は、上記動作を繰り返し（ステップＳ２０２でＹＥＳ以降の処理）、ユーザが録画終了操作をした場合に（ステップＳ２０２でＮＯ）、ライト６が点灯していた場合は消灯し、録画を終了させる（ステップＳ２０３）。
【００４３】
上述のとおり、図４の第２の動作例は、録画開始中は常に照度センサー５の出力によりライト点灯の要否を判断し、かつ点灯継続時間Ｘ、消灯継続時間Ｚを管理して、ライト６の再点灯前禁止期間の制御を含み、ライト６を段階制御した手法となる。
【００４４】
上記図３、図４の動作例は、カメラ録画中のライト６の制御方法の例であるが、カメラの静止画または動画撮影前のライト制御にも、同様の手法を適用できる。
【００４５】
上記のように第１の動作例または第２の動作例では、ライト６の点灯状態が段階的（点灯／微灯／消灯等）に時間制御（時間管理）される。この場合、点灯制約時間Ｒと微灯制約時間Ｓの経過がタイマ１１を用いて制御部１０によって制御される。点灯制約時間Ｒ秒間を超えてライト６を点灯した場合、ライト６が高温になりつつあるため、微灯制約時間Ｓだけ微灯状態とさせる。微灯制約時間Ｓ秒間経過した場合は消灯させ、安全にライト６が点灯できる状態になった場合に点灯させる。これにより、ライト６の点灯をフル点灯と消灯のみの制御とする場合に比べ、長い時間、ライト６をつけた状態（点灯または微灯）とすることが可能となる。
【００４６】
また微灯状態であれば、温度が下がるライトデバイスを使用すれば、ある程度安全な温度に下がるまで微灯状態を保ち、安全に利用できる温度に下がった場合に点灯状態とするといった時間制御も可能となる。
【００４７】
なお、本発明の実施の形態は、上記に限定されず、例えば、ライト６の点灯段階の制御を、点灯（＝フル点灯）と微灯の２段階に代えて３段階以上の段階制御としたり、ライト６を複数設けて、点灯する個数や点灯状態を制御することで点灯状態を段階制御するものとしたり、撮像部４や照度センサー５を複数設けるようにしたりといった変形を適宜行うことができる。
【００４８】
なお、上記実施形態と特許請求範囲の構成との対応は次のとおりである。ライト６が特許請求の範囲における「照明」に対応し、タイマ１１が「タイマ」に対応し、制御部１０が「点灯時間制御部」に対応し、ディスプレイ２が「表示手段」に対応している。
【００４９】
なお、制御部１０の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００５０】
以上、本発明の実施形態を図面を参照して詳述してきたが、具体的な構成はこの実施形態に限られるものではなく、この発明の要旨を逸脱しない範囲の設計変更等も含まれる。
【符号の説明】
【００５１】
１  携帯端末装置
２  ディスプレイ
３  入力操作部
４  撮像部
５  照度センサー
６  ライト
１０  制御部
【図１】
2012074785.tif 000003
【図２】
2012074785.tif 000004
【図３】
2012074785.tif 000005
【図４】
2012074785.tif 000006